(57)【特許請求の範囲】
【請求項１】
ノズル開口からインク滴を吐出するインクジェット式記録ヘッドと、非印刷時に前記ノズル開口を封止するとともに、必要に応じて前記ノズル開口からインクを吸引するキャップ部材を備えたキャッピング装置を搭載したインクジェット式記録装置であって、
前記キャッピング装置は、少なくともキャップケースと、該キャップケース内に収納され且つ可撓性物質よりなるキャップ部材とにより構成されると共に、前記キャップ部材は前記キャップケースの上部周縁に突出するように形成され、
前記キャップ部材内にインク吸収材が収容され、
前記キャップ部材の内部を大気に開放する大気開放口が、前記キャッピング装置のキャップ部材の一側面であって前記インク吸収材よりも上部に位置するように設けられると共に、該大気開放口は前記キャップケース及びキャップ部材の両方に連なって形成され、更にキャップ部材部分の大気開放口は、キャップケース部分の大気開放口から流入する空気の流れを強制的に前記インク吸収材に向けて放出するように傾斜して設けられていることを特徴とするインクジェット式記録装置。
【請求項２】
前記キャップ部材の大気開放口を配置した一側面に対向する他側面側の下底部に、インク吸引口を配置したことを特徴とする請求項１に記載のインクジェット式記録装置。
【請求項３】
前記キャップ部材は方形状に形成されており、前記大気開放口はキャップ部材の一側面の隅角部に配置され、インク吸引口が前記キャップ部材の方形状開口の対角線で対向する隅角部の下底部に配置されていることを特徴とする請求項１又は２に記載のインクジェット式記録装置。
【発明の詳細な説明】
【０００１】
【発明の属する技術分野】
本発明は、記録用紙の幅方向に移動する記録ヘッドを有し、印刷データに基づいてインク滴を記録用紙に向かって吐出することで記録用紙上に画像を印刷するインクジェット式記録装置、より詳細には該インクジェット式記録装置に適したキャッピング装置に関する。
【０００２】
【従来の技術】
パーソナルコンピュータの発達によりグラフィック処理が比較的簡単に実行できるようになったため、ディスプレイに表示される例えばカラー画像のハードコピーを高品質で出力できる記録装置が求められている。このような要求に応えるためにインクジェット式記録ヘッドを搭載した記録装置が提供されている。このインクジェット式記録装置は、印刷時の騒音が比較的小さく、しかも小さなドットを高い密度で形成できるため、カラー印刷を含めた多くの印刷に使用されている。
【０００３】
このようなインクジェット式記録装置は、インク貯蔵手段からのインクの供給を受けるインクジェット式記録ヘッドと、記録用紙を記録ヘッドに対して相対的に移動させる紙送り手段を備え、印字信号に応じて記録ヘッドを移動させながら記録用紙にインク滴を吐出させてドットを形成することで記録が行われる。そして共通のヘッドホルダーにブラック、イエロー、シアン、マゼンタのインクの吐出が可能な記録ヘッドを設け、ブラックインクによるテキスト印刷ばかりでなく、各インクの吐出割合を変えることにより、フルカラー印刷を可能としている。
【０００４】
このようなインクジェット式記録ヘッドは、圧力発生室で加圧したインクをノズルからインク滴として記録用紙に吐出させて印刷を行う関係上、ノズル開口からの溶媒の蒸発に起因するインク粘度の上昇や、インクの固化、塵埃の付着、さらには気泡の混入などによりノズル開口に目詰まりを発生し、印刷不良を起こすという問題がある。
【０００５】
このために、インクジェット式記録装置は通常、非印刷時に記録ヘッドのノズル開口を封止するためのキャッピング装置と、必要に応じてノズルプレートを清掃するクリーニング装置を備えている。このキャッピング装置は、前記したノズル開口のインクの乾燥を防止する蓋として機能するだけでなく、ノズル開口に目詰まりが生じた場合には、キャップ部材によりノズルプレートを封止し、吸引ポンプからの負圧により、ノズル開口からインクを吸引してノズル開口の目詰まりを解消する機能をも備えている。
【０００６】
記録ヘッドの目詰まり解消のために行うインクの強制的な排出処理は、通常クリーニング操作と呼ばれ、長時間の休止後に印刷を再開する場合や、またユーザが記録ヘッドの目詰まりを解消するためにクリーニングスイッチを押下した場合に実行され、インク滴を排出させた後にゴムなどの弾性板からなるクリーニング部材によりワイピング操作を伴う処理である。また、記録ヘッドに印刷とは関係のない駆動信号を印加してインク滴を吐出させる機能も備えており、これは通常フラッシング操作と呼ばれ、クリーニング操作時にワイピング等でヘッドのノズル開口近傍の不揃いのメニスカスを回復させたり、また印刷中にインク滴の吐出が少ないノズル開口の目詰まりを防止する目的で一定周期ごとに実行させる操作である。
【０００７】
図１２は従来のインクジェット式記録装置に用いられているキャッピング装置の概略構成を断面図によって示したものであり、キャッピング装置を構成するキャップユニットによって記録ヘッドよりインクの吸引処理を行った状態を示している。また図１３は同じくキャップユニットを上面から見た状態を示している。キャップユニット３８は、上面が解放された方形状のキャップケース４０と、キャップケース４０内に収納され可撓性物質よりなるキャップ部材１６とにより構成されており、キャップ部材１６はその上測縁がキャップケース４０よりも若干突出した状態に形成されている。そしてキャップ部材１６の内底部には多孔質材料により形成されたインク吸収材１７が収納されている。
【０００８】
またキャップケース４０およびキャップ部材１６の下底部には、キャップケース４０およびキャップ部材１６を貫通するようにインク吸引口１８および大気解放口１９が配置されている。前記インク吸引口１８および大気解放口１９は、図１３にも示すようにキャッピング装置を上面から見た場合に、キャッピング装置の長手方向のほぼ中央に沿って、互いに所定間隔をもって位置するように配置されている。
【０００９】
一方、符号８はカラー用記録ヘッドを示しており、この記録ヘッド８はキャッピング装置の上部に位置し、そのノズルプレート１４が前記キャッピング装置によってキャッピングされる。ノズルプレート１４にはノズル開口１５が配置されており、各ノズル開口１５に対応して配置された圧電振動子１３の作用によってイエロー、シアン、マゼンタの各インクが吐出されるように構成されている。
【００１０】
以上の構成において、ノズル開口の目詰まりを解消させるためのインクの吸引作用は、図１２に示すようにキャップ部材１６を記録ヘッド８のノズルプレート１４に密着させた状態で、該キャップ部材のインク吸引口１８に接続された吸引ポンプを作動させ、キャップ内部に負圧を与えることにより行われる。そして、ノズル開口１５からインクが排出され、キャップ内部の負圧がある程度減少した時点で、大気開放口１９から大気の流入が行われ、キャップ内部の負圧が全て解除される。
【００１１】
しかしながら、図１２および図１３に示すような従来の構成においては大気開放口１９がキャップの下側に設けられているので、インク吸引後に大気開放口１９の先端部にインクが残ることになる。さらに、キャップ内部に設けられるインク吸収材１７は通常、多孔質材料からなるシートが用いられることから、このようなインク吸収材をはさんで大気開放が行われることにより、泡状のインクを吹き上げてしまう。そして、この泡状のインクがノズル開口１５に飛散、もしくは付着することにより混色やドット抜けが発生する。
【００１２】
このような問題を解消させるため、例えば特開平７−６８７６６号公報に開示されたように、記録ヘッドを搭載したキャリッジを微小移動させたり、キャップを引っ張るなどしてキャップを弾性変形せしめ、ノズルプレートとキャップの間に生じる隙間から大気開放を行う、もしくは、記録ヘッドのノズルプレート面上に大気開放口を設け、ヘッド側から大気開放を行う技術が提案されている。
【００１３】
【発明が解決しようとする課題】
しかしながら、前者の技術に関しては、長期にわたる繰り返し動作によりキャップ部材に疲労や歪みなどが生じ、キャップとノズルプレートとの密着性を損なう恐れがあり、装置の信頼性の低下を招く。また、後者の技術に関しては、ノズルプレート面上に大気開放口を設けることによりヘッドが大型化し、さらにキャップ自体も大型化するので吸引効率が悪くなるという不都合が生じる。
【００１４】
本発明はこのような問題に鑑みてなされたものであって、その目的とするところは、インク吸引後にキャップ内部を大気開放する際に、ノズルプレート側へのインクの飛散を無くし、混色やドット抜けを防止することができる小型なキャッピング装置を搭載したインクジェット式記録装置を提供することである。
【００１５】
また、本発明の他の目的とするところは前記の目的に加え、大気開放口に対して大気を連通させるためのバルブの構成を簡素化し、装置のコストを低下させることが可能なインクジェット式記録装置を提供することである。
【００１６】
【課題を解決するための手段】
前記した目的を達成するために成された本発明にかかるインクジェット式記録装置は、ノズル開口からインク滴を吐出するインクジェット式記録ヘッドと、非印刷時に前記ノズル開口を封止するとともに、必要に応じて前記ノズル開口からインクを吸引するキャップ部材を備えたキャッピング装置を搭載したインクジェット式記録装置において、前記キャップ部材の内部を大気に開放する大気開放口を、前記キャッピング装置のキャップ部材の一側面に配置した構成とされる。
【００１７】
この場合、好ましくは前記キャップ部材内にインク吸収材が収容されており、前記キャップ部材の一側面に配置された前記大気開放口が、前記インク吸収材よりも上部に位置するように構成される。また、前記大気開放口が前記インク吸収材に向かって傾斜を持つように形成される構成とすることが望ましい。そして、好ましい実施の形態においては、前記キャップ部材の大気開放口を配置した一側面に対向する他側面側の下底部に、インク吸引口が配置される。
【００１８】
また、前記キャップ部材は方形状に形成されており、前記大気開放口はキャップ部材の一側面の隅角部に配置され、インク吸引口が大気開放口の対角線で対向する隅角部の下底部に配置される場合もある。
【００１９】
さらに、前記キャッピング装置は少なくともキャップケースと可撓性物質よりなるキャップ部材とにより構成され、前記キャップ部材は前記キャップケースの上部周縁に突出するように形成されると共に、前記キャップケースより突出したキャップ部材の一部には、キャップ部材の肉厚方向に貫通する大気解放口が施され、且つ前記記録ヘッドへのキャップ部材の押圧力に応じて、前記大気解放口が閉塞または解放されるように構成される。この場合、大気解放口を施したキャップ部材の上縁部が、他よりも突出して形成された構成とするのが望ましい。
【００２０】
以上のように構成されたキャッピング装置を備えたインクジェット式記録装置においては、キャップ内部を大気開放するための大気開放口がキャップ部材の一側面に配置されているので、大気開放時において泡状インクの発生を防止することができ、大気開放口の先端に残ったインクのノズルプレート側への飛散を効果的に防止する。
【００２１】
また、インク吸収口を大気開放口を配置した一側面に対向する他側面側の下底部に、またはインク吸収口を大気開放口と対角線で対向する隅角部の下底部に配置することで、大気解放時に空気の流れが形成され、インクの掃けを良好にすることができる。さらに、大気解放口をキャップ部材の肉厚方向に貫通するように形成させたことで、記録ヘッドへのキャップ部材の押圧力に応じて、大気解放口が閉塞または解放されるように作用する。
【００２２】
【発明の実施の形態】
以下、本発明にかかるインクジェット式記録装置について、図に示す実施の形態に基づいて説明する。図１は本発明が適用されたインクジェット式記録装置の一実施例を示すものであり、図中符号１はキャリッジであり、キャリッジモータ３の駆動により往復動するタイミングベルト２を介し、ガイド部材４に案内されてプラテン５の軸方向に往復移動されるように構成されている。
【００２３】
キャリッジ１の記録用紙６に対向する側には、ブラック用記録ヘッド７、およびカラー用記録ヘッド８が搭載され、またその上方にはそれぞれの記録ヘッドにインクを供給するブラック用インクカートリッジ９、およびカラー用インクカートリッジ１０が着脱可能に装填されている。
【００２４】
図中符号１１は、非印字領域外に配置されたキャッピング装置であって、ブラックヘッド用のキャップユニット３７とカラーヘッド用のキャップユニット３８を搭載している。そしてキャッピング装置１１の下方には、キャッピング装置１１に対して負圧を与えるための吸引ポンプ１２が配置されている。
【００２５】
前記キャップユニット３７，３８は記録装置の休止期間中のノズル開口の乾燥を防止するキャップ手段として機能する他、フラッシング動作時のインク受けとして機能し、また前記吸引ポンプ１２からの負圧を記録ヘッド７、８に作用させて、インクを吸引する手段としての機能も兼ね備えている。
【００２６】
図２は前記したカラー用記録ヘッド８におけるアクチュエータユニットの例を示したものであって、ノズルプレート１４に３つの圧電振動子１３が配置され、図２には現されていないが、その下側面に形成されたノズル開口列からそれぞれ異なる色のインクを吐出できるように、各圧電振動子１３とノズルプレート１４の間には、各ノズル開口列毎に独立したインク供給流路２０ａ〜２０ｆが設けられている。
【００２７】
この構成により、各圧電振動子１３にそれぞれ印刷制御信号が加えられることによりインク供給流路２０ａ〜２０ｆに供給されるイエロー、シアン、マゼンタの各インクがノズル開口列からそれぞれ吐出され、記録紙６に対してカラー印刷が行われる。
【００２８】
図３（イ）および（ロ）はキャッピング装置１１の全体構成を示したものであり、（イ）はキャッピング装置１１を一方向から視た斜視図であり、また（ロ）は（イ）の裏面方向から視た斜視図である。図中符号２２はスライダであり、自在に回動するアーム２３とバネ３１によって基台２１に連結されており、キャリッジ１が非印字領域側に移動してフラッグ片２５に接したときに、キャリッジ１の動きに追従して移動するように構成されている。また、スライダ２２にはバルブユニット２８が固定され、基台２１にはバルブユニット２８を開閉するためのバルブ２９が圧縮バネ３０を介して固定されている。
【００２９】
フラッグ片２５は下端に凸片２６を有していて、基台２１に形成された傾斜ガイド面２４と当接してこれの表面を摺動するように構成されている。また、印刷領域側の側部にもガイド面３２が設けられており、スライダ２２に水平方向に突出された突起３３がこれの表面を摺動するように構成されている。これら２つのガイド面２４，３２の働きにより、スライダ２２はほぼ水平姿勢を保ったまま、上下動が可能な構成となっている。
【００３０】
つまり、キャリッジ１が非印字領域側に移動したとき、スライダ２２がキャリッジ１の動きと連動して斜め上方に移動することで、後述するキャップ部材と記録ヘッドのノズルプレート面が密着するキャッピング動作がなされるように構成されている。
【００３１】
スライダ２２のキャップユニット搭載部３６は、バネ３４と突起３５によってスライダ２２に連結されており、突起３５を中心として若干の回動が可能である。また、キャップユニット３７，３８は、それぞれ圧縮バネ３９を介してスライダ２２に固定されている。従って、キャッピング動作時において、キャップとノズルプレートの密着性は常に良好に保たれる。
【００３２】
前記キャップユニット３７，３８のそれぞれには、後で詳述するようにその下底部にそれぞれインク吸引口１８が形成され、耐インク性に優れた図示せぬチューブを介して図１に示す吸引ポンプ１２に接続されている。またキャップユニット３７，３８のそれぞれには、同じく後で詳述するようにその一側面に大気解放口１９が配置されており、これら大気解放口１９に一端が接続されたチューブ２７の他端がバルブユニット２８にそれぞれ接続されている。
【００３３】
以上の構成により、キャリッジ１が非印字領域側に移動したとき、前記したようにキャリッジ１がフラッグ片２５に当接し、これによりスライダ２２が斜め上方に移動してキャップユニット３７，３８が記録ヘッドのノズルプレート面を閉塞するキャッピング状態とされる。そして、スライダ２２が非印字領域側（ホームポジション）に位置することによって、前記バルブユニット２８がバルブ２９と接触し、大気開放口１９が閉ざされる。この状態で吸引ポンプ１２からキャップ内部に負圧を供給することにより、記録ヘッドのノズル開口からのインクの吸引が可能となる。
【００３４】
図４は前記したキャッピング装置のうち、カラーヘッド用のキャップユニット３８の第１の実施の形態をキャッピング状態における断面図で示したものであり、また図５は同じくキャップユニット３８を上面から見た状態で示している。なお、図５は図６におけるＡ−Ａ線に沿った断面図で示されている。
【００３５】
キャップユニット３８は、上面が解放された方形状のキャップケース４０と、キャップケース４０内に収納され、耐インク性を有する可撓性物質、特にゴムなどの弾性部材により形成されたカップ状のキャップ部材１６とにより構成されている。そしてキャップ部材１６はその上測縁がキャップケース４０よりも若干突出した状態に形成されている。またキャップ部材１６の内底部には耐インク性およびインク吸収性に優れた多孔質材料からなるインク吸収材１７が、ほぼ底面を覆うように挿入されている。
【００３６】
前記キャップ部材１６の内部を大気に開放する大気開放口１９がキャップ部材１６の一側面のほぼ中央部に、キャップ部材１６の肉厚部を貫通して設けられている。そして貫通孔はインク吸収材１７に向けて序々に低下するように傾斜を持って形成され、キャップ部材１６の内面側の開口部は、前記インク吸収材１７の表面よりも上部に位置するように形成されている。そして大気開放口１９は、前記したとおりチューブ２７を介してバルブユニット２８に接続されている。
【００３７】
また、図５にも示したとおりキャップ部材１６のほぼ中央下底部にはインク吸引口１８が形成されていて、図示せぬチューブを介して前記したとおり吸引ポンプ１２に接続されている。なお図４に示す記録ヘッド８の構成は、すでに説明した図１２に示されたものと同一であり、従ってその詳細な説明は省略する。
【００３８】
以上のように構成されたキャップユニット３８によると、記録ヘッド８のノズル開口１５から吸引されたインクは、キャップ底部に挿入されたインク吸収材１７を介してインク吸引口１８から排出される。そして、設定量のインクが排出されることによってキャップ内部の負圧はほとんど減少する。
【００３９】
この段階で、キャリッジ１を印字領域側に移動させると、スライダ２２が追従して印字領域側に移動するので、バルブユニット２８が開放され、大気開放口１９よりキャップ内部に大気が流入する。大気開放口１９はキャップ部材１６の一側面に、かつインク吸収材１７よりも上部位置に備えられているので、大気開放の際に泡状のインクを発生させることはない。
【００４０】
また、キャップ部材１６に形成した貫通孔はインク吸収材１７に向かって傾斜を持たせるようにしたので、インクが残りにくい構造となっており、たとえ先端部分にインクが残った場合であっても、インクはインク吸収材１７に向けて排出されるので、ノズルプレート側へのインクの飛散は確実に防止できる。
【００４１】
次に図６および図７はキャップユニットの第２の実施の形態を断面図および上面図によって示したものである。なお、図６は図７におけるＢ−Ｂ線に沿った断面図で示されている。ここで、前記した図４および図５と同一符号はそれぞれ相当部分を示しており、従ってその説明は省略する。
【００４２】
図６および図７に示す第２の実施の形態においては、第１の実施の形態に比較して、特にインク吸引口１８の配置位置が異なっている。すなわち、インク吸引口１８は、キャップ部材１６の大気開放口１９を配置した一側面に対向する他側面側の下底部に配置されている。このように構成することで、大気解放時にキャップ部材１６の長手方向、すなわち図７におけるＢ−Ｂ線に沿って空気の流れが発生し、インクの掃けが良好になされる。
【００４３】
次に図８および図９はキャップユニットの第３の実施の形態を断面図および上面図によって示したものである。なお、図８は図９におけるＣ−Ｃ線に沿った断面図で示されている。ここで、前記した図４および図５と同一符号はそれぞれ相当部分を示しており、従ってその説明は省略する。
【００４４】
図８および図９に示す第３の実施の形態においては、第２の実施の形態に比較して、特に大気開放口１９並びにインク吸引口１８の配置位置が異なっている。すなわち、大気開放口１９は方形状に形成されたキャップ部材１６の一側面の隅角部に配置され、インク吸引口１８は前記キャップ部材１６の方形状開口の対角線で対向する隅角部の下底部に配置されている。このように構成することで、大気解放時にキャップ部材１６の対角線方向に沿って空気の流れが発生し、第２の実施の形態に比較してさらにインクの掃けが良好になされる。
【００４５】
次に図１０および図１１に示す第４の実施の形態においては、前記した第１乃至第３の実施の形態における特質を保持しつつ、特にキャップ部材１６自体にバルブ機能を持たせたものである。ここで、前記した図４および図５と同一符号はそれぞれ相当部分を示しており、従ってその説明は省略する。
【００４６】
図１０および図１１に示す第４の実施の形態においては、キャップケース４０より突出したキャップ部材１６における一側面のほぼ中央に、キャップ部材１６の肉厚方向に貫通する大気解放口１９が施されている。この大気解放口１９は、図に示すように三日月形に形成されており、その長辺が水平方向に、また短辺が垂直方向に向くように配置されている。
【００４７】
キャップ部材１６に貫通する大気解放口１９は、前記した第１乃至第３の実施の形態と同様に、大気解放口１９を構成する貫通孔がインク吸収材１７に向けて序々に低下するように傾斜を持って形成され、またキャップ部材１６の内面側の開口部は、前記インク吸収材１７の表面よりも上部に位置するように形成されている。そして、図１０に水平線Ｄで示したように、大気解放口１９が施されたキャップ部材１６の上縁部が、他の上縁部よりも突出して形成されている。なお、インク吸引口１８の位置は、前記図６および図７に示した第２の実施の形態と同一位置に配置されている。
【００４８】
このように構成したことにより、キャップ装置を記録ヘッドノズル面に押着させた状態で大気解放口１９が閉塞し、キャップ内の機密を保つことができる。また押圧力を緩めることで、大気解放口１９の閉塞状態が回復し、キャップ内の大気解放が可能となる。
【００４９】
このように記録ヘッド８へのキャップ部材１６の押圧力に応じて、前記大気解放口１９が閉塞または解放されるように構成することにより、大気解放口１９がバルブの作用を兼ねるようになされ、図３に示したバルブユニット２８、およびバルブユニット２８を開閉するためのバルブ２９等の構成を不要にすることができる。また、特に大気解放口１９を三日月形に形成し、大気解放口１９が施されたキャップ部材１６の上縁部を他の上縁部よりも突出して形成させたことにより、大気解放口１９によるバルブの開閉作用を確実になすことができ、動作の信頼性を向上させることが可能となる。
【００５０】
なお、前記した実施の形態においては、圧電振動子をアクチュエータとする記録ヘッドを搭載したインクジェット式記録装置を例にとって説明したが、ヒータによりインクを気化させて、気泡の圧力でインクを吐出させるいわゆるバブルジェット式記録ヘッドを搭載したインクジェット式記録装置においても同様の作用を奏することは明らかである。
【００５１】
【発明の効果】
以上の説明で明らかなように本発明にかかるインクジェット式記録装置においては、非印刷時にノズル開口を封止するとともに、必要に応じて前記ノズル開口からインクを吸引するキャッピング装置において、キャップ内部を大気開放する大気開放口をキャップ部材の一側面に備えるようにしたので、大気開放の際の泡状インクの発生およびノズルプレート側へのインクの飛散を確実に防止でき、混色やドット抜けを防止することができる。
【００５２】
また、インク吸収口を大気開放口を配置した一側面に対向する他側面側の下底部に、またはインク吸収口を大気開放口と対角線で対向する隅角部の下底部に配置することで、大気解放時にキャップ内においてインク吸収口に向かって空気の流れを形成させることができ、インクの掃けを良好にすることができる。
【００５３】
さらに、大気解放口をキャップ部材の肉厚方向に貫通するように形成させることで、記録ヘッドへのキャップ部材の押圧力に応じて、大気解放口が閉塞または解放されるバルブ作用を発生させることが可能であり、装置の構成を簡素化させることもできる。
【図面の簡単な説明】
【図１】本発明を適用したインクジェット式記録装置の斜視図である。
【図２】図１に示す記録装置に搭載された記録ヘッドにおけるアクチュエータユニットの一例を示す斜視図である。
【図３】図１に示す記録装置に搭載されたキャッピング装置の一例を示す斜視図である。
【図４】本発明の記録装置に搭載されるキャップユニットの第１の実施の形態を図５におけるＡ−Ａ線で切断した状態の断面図である。
【図５】図４に示すキャップユニットの上面図である。
【図６】本発明の記録装置に搭載されるキャップユニットの第２の実施の形態を図７におけるＢ−Ｂ線で切断した状態の断面図である。
【図７】図６に示すキャップユニットの上面図である。
【図８】本発明の記録装置に搭載されるキャップユニットの第３の実施の形態を図９におけるＣ−Ｃ線で切断した状態の断面図である。
【図９】図８に示すキャップユニットの上面図である。
【図１０】本発明の記録装置に搭載されるキャップユニットの第４の実施の形態を示した中央断面図である。
【図１１】図１０に示すキャップユニットを一部透視状態で示した側面図である。
【図１２】従来の記録装置に搭載されたキャップユニットの一例を、図１３におけるＥ−Ｅ線で切断した状態の断面図である。
【図１３】図１２に示すキャップユニットの上面図である。
【符号の説明】
１  キャリッジ
２  タイミングベルト
３  キャリッジモータ
４  ガイド部材
５  プラテン
６  記録用紙
７  ブラック用記録ヘッド
８  カラー用記録ヘッド
９  ブラック用インクカートリッジ
１０  カラー用インクカートリッジ
１１  キャッピング装置
１２  吸引ポンプ
１３  圧電振動子
１４  ノズルプレート
１５  ノズル開口
１６  キャップ部材
１７  インク吸収材
１８  インク吸引口
１９  大気開放口
２０  インク供給流路
２７  チューブ
２８  バルブユニット
２９  バルブ
３６  キャップユニット搭載部
３７  ブラックヘッド用キャップユニット
３８  カラーヘッド用キャップユニット
４０  キャップケース
【図１】
0003587344.tif 000002
【図２】
0003587344.tif 000003
【図３】
0003587344.tif 000004
【図４】
0003587344.tif 000005
【図５】
0003587344.tif 000006
【図６】
0003587344.tif 000007
【図７】
0003587344.tif 000008
【図８】
0003587344.tif 000009
【図９】
0003587344.tif 000010
【図１０】
0003587344.tif 000011
【図１１】
0003587344.tif 000012
【図１２】
0003587344.tif 000013
【図１３】
0003587344.tif 000014